(57)【要約】【課題】異物を侵入させることによる不正行為を防止でき、かつ放熱機能を損なうことのない遊技機用電源ボックスを提供すること。【解決手段】前記箱体（１０）の少なくとも一面に複数の通気貫通孔（２１）を有する通気板（２０）を備え、前記通気板（２０）から所定間隔を保持して前記通気貫通孔（２１）を塞ぐ位置に遮蔽板（３０）を備え、前記遮蔽板（３０）には、前記通気貫通孔（２１）とは輪郭位置をずらした位置に複数の遮蔽貫通孔（３１）を設けた。【選択図】　　図２
2004024653.tif 000002
【特許請求の範囲】
【請求項１】
内部に遊技機を作動させるための電源装置を収納可能な箱体として形成され、
前記箱体の少なくとも一面に複数の通気貫通孔を有する通気板を備え、
前記通気板から所定間隔を保持して前記通気貫通孔を塞ぐ位置に遮蔽板を備えた遊技機用電源ボックスであって、
前記遮蔽板は、前記通気貫通孔とは輪郭位置をずらした位置に複数の遮蔽貫通孔を有することを特徴とする遊技機用電源ボックス。
【請求項２】
前記通気貫通孔と前記遮蔽貫通孔のいずれか一方又は双方の縁部に、箱外側に向かって突出する侵入防止用縁を設けたことを特徴とする請求項１記載の遊技機用電源ボックス。
【請求項３】
筐体内に、遊技機を作動させるための電源装置を収納可能な箱体からなる電源ボックスを設置した遊技機であって、
前記電源ボックスは、
前記箱体の少なくとも一面に複数の通気貫通孔を有する通気板を備え、
前記通気板から所定間隔を保持して前記通気貫通孔を塞ぐ位置に遮蔽板を備えた遊技機用電源ボックスであって、
前記遮蔽板は、前記通気貫通孔とは輪郭位置をずらした位置に複数の遮蔽貫通孔を有していることを特徴とする遊技機。
【請求項４】
前記通気貫通孔と前記遮蔽貫通孔のいずれか一方又は双方の縁部に、箱外側に向かって突出する侵入防止用縁を設けたことを特徴とする請求項３記載の遊技機。
【発明の詳細な説明】
【０００１】
【発明の属する技術分野】
本発明は、パチンコ店等に設置される遊技機、特に、電力にて作動制御し、放熱が必要な電源ボックスを有する遊技機に関するものである。
【０００２】
【従来の技術】
パチンコ店などに設置されるスロットマシンなどの遊技機には、種々のものが提供されている。古くは、機械式のスロットマシンが主流であったが、現在の日本では、電子式のスロットマシンが主流である。以下、特に断らずに単に「スロットマシン」と記す場合には、電子式のスロットマシンを指すこととする。スロットマシンに限らず、様々な動力およびその制御など遊技機の電子化は大きく進んでいる。これら電子化された遊技機には、電源ボックスが必須となる。
【０００３】
そして、電源装置は発熱しやすいことから、電源ボックスには放熱機構が設けられており、従来より、電源ボックスの放熱機構は、電源ボックスの外箱に放熱用の孔を設け、換気するようになっていた。
【０００４】
【発明が解決しようとする課題】
ところで、遊技機外部から導電性のある細い棒、たとえばピアノ線やセル等を差込み、内部装置に誤作動を起こさせて、メダル等の払い出し枚数を狂わせたりする不正行為（通称「ゴト行為」）が、密かに行われていた。このような不正行為に対しては、根本的な解決策がのぞまれている。
【０００５】
そして、前述したように、遊技機の電源ボックスには、放熱用孔が存在するので、異物挿入による不正行為を受けやすい。
【０００６】
しかし、このようなゴト行為をされないために、放熱用孔を塞げば、電源ボックス内部に熱がこもって好ましくない。
【０００７】
（請求項１および請求項２の目的）
そこで、請求項１および請求項２記載の発明は、異物を侵入させることによる不正行為を防止でき、かつ放熱機能を損なうことのない遊技機用電源ボックスを提供することを目的とする。特に請求項２記載の発明は、異物をより侵入させにくくする遊技機用電源ボックスを提供することを目的とする。
【０００８】
（請求項３および請求項４の目的）
請求項３および請求項４記載の発明は、異物を侵入させることによる不正行為を防止でき、かつ放熱機能を損なうことのない遊技機用電源ボックスを設置した遊技機を提供することを目的とする。特に請求項４記載の発明は、異物をより侵入させにくい遊技機用電源ボックスを設置した遊技機を提供することを目的とする。
【０００９】
【課題を解決するための手段】
（請求項１）
請求項１記載の発明は、内部に遊技機を作動させるための電源装置を収納可能な箱体（１０）として形成され、前記箱体（１０）の少なくとも一面に複数の通気貫通孔（２１）を有する通気板（２０）を備え、前記通気板（２０）から所定間隔を保持して前記通気貫通孔（２１）を塞ぐ位置に遮蔽板（３０）を備えた遊技機用電源ボックスであって、前記遮蔽板（３０）は、前記通気貫通孔（２１）とは輪郭位置をずらした位置に複数の遮蔽貫通孔（３１）を有することを特徴とする。
【００１０】
（用語説明）
「遊技機」とは、パチンコ店などに設置される電子式遊技機、例えば、スロットマシン、パチスロなどの遊技機をいう。液晶ディスプレイやＣＲＴなどの画像表示装置へ映像を表示させるような遊技機も、「遊技機」に含む趣旨である。
【００１１】
「電源ボックス」は、遊技機を作動させるための電源装置を収納するためのものであるが、電源装置以外の装置、例えば遊技機の設定を変更するための設定変更装置などが収納可能となっていてもよい。
【００１２】
「通気板（２０）」は、前記箱体（１０）の少なくとも一面に設けられているものであり、箱体（１０）の複数の面に設けてもよい。例えば、箱体（１０）の上面と底面に設けると放熱作用が効率的に行われる。また、通気板（２０）は、箱体（１０）の一面に別部材として設けてもよいし、箱体（１０）の一面を構成する板（例えば天板、側板、底板等）が通気板（２０）を兼ねていてもよい。
【００１３】
「通気貫通孔（２１）」は、前記通気板（２０）に設けられた複数の貫通孔であり、その形状は問わない。そして、通気貫通孔（２１）は、箱体（１０）内部と外部との換気をするためのものであり、放熱手段として機能するものである。
【００１４】
「遮蔽板（３０）」は、前記通気貫通孔（２１）を塞ぐ位置に、前記通気板（２０）から所定間隔を保持して設けられ、外部からの異物侵入を防止するための侵入防止手段として機能する。この遮蔽板（３０）は、前記通気貫通孔（２１）を塞ぐことができる位置であれば、箱体（１０）の内側に設けてもよいし、外側に設けてもよい。なお、「所定間隔」は、通気貫通孔（２１）又は遮蔽貫通孔（３１）の大きさ、想定される進入物の直径、守るべき電子部品までの距離などに応じて定められる。
【００１５】
「遮蔽貫通孔（３１）」は、前記遮蔽板（３０）に設けられた複数の貫通孔であり、その形状は問わない。そして、遮蔽貫通孔（３１）は、箱体（１０）内部と外部との換気をするためのものであり、放熱手段として機能するとともに、前記通気貫通孔（２１）から挿入された進入物を箱体（１０）の内部に貫通させないように形成されている。すなわち、前記通気貫通孔（２１）とは輪郭位置をずらした位置に配置される。「輪郭位置をずらした位置」とは、通気板（２０）と遮蔽板（３０）とを重ねたときに通気貫通孔（２１）と遮蔽貫通孔（３１）とが全く重ならない位置、すなわち通気貫通孔（２１）は遮蔽板（３０）により完全に塞がれ、遮蔽貫通孔（３１）は通気板（２０）により完全に塞がれる位置であるのが好ましいが、孔の一部重なる部分があっても、通気板（２０）と遮蔽板（３０）を通して進入物が進入不可能であればよい。
【００１６】
（作用）
本請求項に係る遊技機用電源ボックスを用いて、電源基板等が搭載された電源装置を囲う。棒状の進入物が遊技機外部から挿入され、箱体（１０）の貫通孔（２１，３１）を通過して電源ボックス内部へ進入しようとしても、所定距離を離して遮蔽板（３０）が存在し、その遮蔽板（３０）に設けられた遮蔽貫通孔（３１）は、通気貫通孔（２１）とは輪郭位置をずらした位置に設けられているので、電源ボックス内部への直角な進入を許さない。したがって、進入物から電源基板等の電子部品が守られることとなる。
【００１７】
なお、複数の通気貫通孔（２１）及び遮蔽貫通孔（３１）の存在により、電源装置は箱体（１０）の外部空間と連通しており、放熱を妨げられることはない。
【００１８】
（請求項２）
請求項２記載の発明は、請求項１記載の遊技機用電源ボックスを限定したものである。
【００１９】
すなわち、前記通気貫通孔（２１）と前記遮蔽貫通孔（３１）のいずれか一方又は双方の縁部に、箱外側に向かって突出する侵入防止用縁（例えば返し部（３２））を設けたことを特徴とする。
【００２０】
（用語説明）
「侵入防止用縁」は、通気貫通孔（２１）に設けてもよいし遮蔽貫通孔（３１）に設けてもよい。あるいは双方に設けてもよい。そして、「侵入防止用縁」は、箱体（１０）の箱外側に向かって突出するように形成されている。従って、箱体（１０）の外側から貫通孔（２１，３１）に向かって斜め方向から進入物が進入してきた場合には、この「侵入防止用縁」により孔内への進入が妨げられる。
【００２１】
（作用）
「侵入防止用縁」の存在により、棒状の進入物は更に進入角度が浅くなる。このため、ますます進入物から内部装置が守られることとなる。
【００２２】
（請求項３）
請求項２記載の発明は、請求項１記載の遊技機用電源ボックスを用いた遊技機に係る。
【００２３】
すなわち、筐体（１）内に、遊技機を作動させるための電源装置を収納可能な箱体（１０）からなる電源ボックスを設置した遊技機であって、前記電源ボックスは、前記箱体（１０）の少なくとも一面に複数の通気貫通孔（２１）を有する通気板（２０）を備え、前記通気板（２０）から所定間隔を保持して前記通気貫通孔（２１）を塞ぐ位置に遮蔽板（３０）を備えた遊技機用電源ボックスであって、前記遮蔽板（３０）は、前記通気貫通孔（２１）とは輪郭位置をずらした位置に遮蔽貫通孔（３１）を有していることを特徴とする。
【００２４】
（用語説明）
「筐体（１）」は、遊技機の外部構造をなすものであり、内部には遊技機用電源ボックスが設置されている。筐体（１）にはこの他にも、遊技に関わる他の装置、例えばスロットマシンを例にすると、複数の回転リールを有するリールユニット（３）や、遊技メダルを貯留すると共に払い出すためのホッパーユニット（４）等が収納される。
【００２５】
（作用）
前記電源ボックスを用いて、電源基板等が搭載された電源装置を囲い、遊技機の筐体（１）内部に設置する。棒状の進入物が筐体（１）外部から挿入され、箱体（１０）の貫通孔（２１，３１）を通過して電源ボックス内部へ進入しようとしても、所定距離を離して遮蔽板（３０）が存在し、その遮蔽板（３０）に設けられた遮蔽貫通孔（３１）は、通気貫通孔（２１）とは輪郭位置をずらした位置に設けられているので、電源ボックス内部への直角な進入を許さない。したがって、進入物から電源基板等が守られることとなる。
【００２６】
なお、複数の通気貫通孔（２１）及び遮蔽貫通孔（３１）の存在により、電源装置は箱体（１０）の外部空間と連通しており、放熱を妨げられることはない。
【００２７】
（請求項４）
請求項４記載の発明は、請求項２記載の遊技機用電源ボックスを用いた遊技機に係る。
【００２８】
すなわち、前記通気貫通孔（２１）と前記遮蔽貫通孔（３１）のいずれか一方又は双方の縁部に、箱外側に向かって突出する侵入防止用縁（例えば返し部（３２））を設けたことを特徴とする。
【００２９】
（作用）
「侵入防止用縁」の存在により、棒状の進入物は更に進入角度が浅くなる。このため、ますます進入物から電源装置が守られることとなる。
【００３０】
【発明の実施の形態】
以下、本発明を表す好適な実施の形態を、遊技機としてスロットマシンを例に、図面に基づき説明する。
【００３１】
（図面の説明）
図１乃至図５は、本発明の実施の形態を示すものである。図１はスロットマシンの開扉状態の斜視図、図２は電源ボックスの三面図、図３は電源ボックスの組立斜視図、図４は通気貫通孔及び遮蔽貫通孔の拡大図である。図５は本発明の他の実施の形態を示す電源ボックスの側面図である。
【００３２】
（スロットマシンＳ）
スロットマシンＳは、正面側に開口する箱形の筐体１に、前記開口を塞ぐ前扉２が開閉自在に取り付けられた構造となっている。そして、筐体１の内部には、図１に示すように、リールユニット３、ホッパーユニット４、電源ボックス５が収納されている。
【００３３】
リールユニット３は、筐体１の開口上部に収納されており、周囲に複数の図柄を表示した複数の回転リールと、特に図示しないが、回転リールを回転させるための駆動モータを有している。また、リールユニット３には、遊技及びスロットマシンの作動を制御するための主基板と、各種演出を行うための副基板が接続されている。なお、前扉２を閉めると、前扉２に設けられた図柄表示窓から、前記回転リールの図柄を見ることができるように形成されている。
【００３４】
ホッパーユニット４は、筐体１の開口下部に設置されており、遊技メダルを貯留すると共に払い出しを行うためのものである。
【００３５】
電源ボックス５は、前記ホッパーユニット４と並んで設置されており、特に図示しないが電源基板等の電源装置が内装されていると共に、スロットマシンの設定を変更するための設定変更装置が内装されている。そして、正面側には遊技店側が主電源のＯＮ、ＯＦをしたり、種々の設定を行うためのスイッチ等を有している。
【００３６】
（電源ボックス５）
次に、電源ボックス５について詳述する。
【００３７】
図２及び図３は、内部機構を省略した電源ボックス５を示すものである。図２（Ａ）（Ｂ）（Ｃ）はそれぞれ、電源ボックス５の平面図、側面図、底面図を示す。
【００３８】
電源ボックス５は、図２に示すように、長方体状の箱体１０からなり、底板１１には、スロットマシンの筐体１と底板１１との間に間隙を形成する脚部１３が設けられている。そして、底板１１及び天板１２には、複数の通気貫通孔２１が設けられ、通気板２０を構成している。
【００３９】
ここで、底板１１及び天板１２を通気板２０としたのは、放熱効果に鑑み、熱により暖められた空気を上方から排出し、下面から冷えた空気が吸入されるように配慮したものである。
【００４０】
前記通気板２０の箱内側には、通気板２０と所定間隔を保持して、遮蔽板３０が設けられている。すなわち、遮蔽板３０は、図２又は図３に示すように、底板１１の上面に立ち上がり片３０ａを介して、天板１２の下面に垂下片３０ｂを介して固定されているものである。
【００４１】
なお、所定間隔は、通気貫通孔２１又は遮蔽貫通孔３１の大きさ、想定される進入物の直径、守るべき電子部品までの距離などに応じて定められる。
【００４２】
ところで、遮蔽板３０は、底板１１及び天板１２に固定されるものとしたが、側板により支持されるように形成してもかまわない。ただし、図示したように側板と遮蔽板３０の端部に間隙を有していた方が、放熱効率の観点からは望ましい。
【００４３】
そして、遮蔽板３０には、前記通気板２０の通気貫通孔２１とは輪郭位置をずらした位置に、遮蔽貫通孔３１が複数設けられている。すなわち、図２（Ａ）及び（Ｃ）に示すように、箱体１０の平面側及び底面側から見たときに、通気貫通孔２１と遮蔽貫通孔３１とが重ならない位置に配置されるように形成されている。
【００４４】
この遮蔽貫通孔３１があることにより、通気貫通孔２１から排出される電源ボックス５内部の熱気が、遮蔽板３０によって箱体１０の外部へと放出されるのを妨げることはないものである。
【００４５】
なお、図示した例では、通気貫通孔２１と遮蔽貫通孔３１とは同形状の長孔となっているが、両者の形状が異なっていてもかまわない。また、図示した形状以外の孔、例えば角孔や円孔であってもよい。
【００４６】
さらに、図２（Ｂ）に示すように、遮蔽貫通孔３１の縁部には、箱外側に向かって突出する返し部３２が設けられている。返し部３２は、プレス加工等により遮蔽貫通孔３１の縁部を箱外側に向かって折り曲げて形成したものである。
【００４７】
（遮蔽板３０によるゴト防止機能）
次に、上記構成を有する電源ボックス５におけるゴト防止機能について述べる。
【００４８】
電源ボックス５は、図１に示すように、比較的筐体１の側板付近に設置されていて、前扉２と筐体１との隙間からピアノ線等を差し込んで不正行為が行われやすい。しかし、もしもこのような不正行為が行われた場合であっても、遮蔽板３０の存在により、有効に異物の進入を防止できる。
【００４９】
例えば、電源ボックス５の上面側から異物が進入してきた場合、図４に示すように、通気板２０の通気貫通孔２１と遮蔽板３０の遮蔽貫通孔３１とは、垂直方向に直接貫通していないので、上側にある通気貫通孔２１から進入したピアノ線等の進入物Ｘは、その下の遮蔽板３０に一旦突き当たることになる。そのまま押入されれば、先端が湾曲して、ゴト行為はやりにくくなる。
【００５０】
さらに、通気貫通孔２１から進入した進入物Ｘを遮蔽貫通孔３１に貫通させるには、斜め方向から挿入しなければならないが、この場合には、遮蔽貫通孔３１の縁部に設けられた返し部３２が進入物Ｘの孔内への進入を阻止するものとなる。
【００５１】
また、進入物Ｙのように、返し部３２を乗り越えて遮蔽貫通孔３１を貫通した場合であっても、挿入角度が鋭角となるために箱体１０の奥深くまでは届かず、重要部品を箱体１０の中心部に置くなど配置を工夫することで、ゴト行為はほとんど不可能となる。
【００５２】
ところで、前記返し部３２は、通気貫通孔２１に設けてもかまわない。あるいは、遮蔽貫通孔３１と通気貫通孔２１の双方に設けてもよい。この場合にも、返し部３２は、箱外側に向かって突出するように形成する。
【００５３】
このように、遮蔽板３０を設けたことにより、電源ボックス５への進入物の進入を防止することができると同時に、遮蔽貫通孔３１により十分な放熱機能も失わない。また遮蔽貫通孔３１を設けたことによるセキュリティー上のデメリットは、返し部３２によりカバーできるものである。
【００５４】
なお、本実施の形態に置いては、遮蔽板３０を通気板２０の箱内側に取り付けているが、図５に示すように、通気板２０の箱外側に取り付けてもよい。また、通気板２０は底板１１及び天板１２としているが、電源装置の態様によっては、側板に設けてもよい。
【００５５】
【発明の効果】
（請求項１および請求項２の効果）
請求項１および請求項２記載の発明によれば、異物を侵入させることによる不正行為を防止でき、かつ放熱機能を損なうことのない遊技機用電源ボックスを提供することができる。特に請求項２記載の発明によれば、異物をより侵入させにくくする遊技機用電源ボックスを提供することができる。
【００５６】
（請求項３および請求項４の効果）
請求項３および請求項４記載の発明によれば、異物を侵入させることによる不正行為を防止でき、かつ放熱機能を損なうことのない遊技機用電源ボックスを設置した遊技機を提供することができる。特に請求項４記載の発明によれば、異物をより侵入させにくい遊技機用電源ボックスを設置した遊技機を提供することができる。
【図面の簡単な説明】
【図１】本発明の実施の形態であって、スロットマシンの開扉状態の斜視図である。
【図２】本発明の実施の形態であって、電源ボックスの三面図である。
【図３】本発明の実施の形態であって、電源ボックスの組立斜視図である。
【図４】本発明の実施の形態であって、通気貫通孔及び遮蔽貫通孔の拡大図である。
【図５】本発明の他の実施の形態であって、電源ボックスの側面図である。
【符号の説明】
１　筐体　　　　　　　　　２　前扉
３　リールユニット　　　　４　ホッパーユニット
５　電源ボックス
１０　箱体　　　　　　　　　１１　底板
１２　天板　　　　　　　　　１３　脚部
２０　通気板　　　　　　　　２１　通気貫通孔
３０　遮蔽板　　　　　　　　３１　遮蔽貫通孔
３２　返し部
Ｓ　スロットマシン　　　　Ｘ，Ｙ　進入物
【図１】
2004024653.tif 000003
【図２】
2004024653.tif 000004
【図３】
2004024653.tif 000005
【図４】
2004024653.tif 000006
【図５】
2004024653.tif 000007